(57)【要約】【課題】安価な方法で紙材等のシートに立体感、実物感、高級感を出すことができるデザインシートの製造方法を提供すること。【解決手段】基材シート１の上方に任意の図柄を施し有孔質ないしは図柄以外は透光性の図柄シート２を空間スペース１０を介して配置する。次に、図柄シート２の斜め上方に該図柄シート２を照らす光源を配置すると共に、該図柄シート２の上方から撮像装置４にて図柄シート２を撮影する。この撮影した写真あるいは撮影データから版下データを作成する。次に、印刷用のシート５に前記版下データにより印刷をして図柄を印刷した完成シート７を製造する。【選択図】図５
2009000985.tif 000002
【特許請求の範囲】
【請求項１】
基材シート（１）の表面に任意の図柄を施し有孔質ないしは図柄以外は透光性の図柄シート（２）を載置し、
該図柄シート（２）の上方から撮像装置（４）にて図柄シート（２）を撮影し、撮影した写真あるいは撮影データから版下データを作成し、
印刷用のシート（５）に予め前記図柄シート（２）の図柄に似た模様のエンボス加工を施し、
前記エンボス加工を施したシート（５）に前記版下データにより印刷をして図柄を印刷した完成シート（７）を製造するようにしていることを特徴とするデザインシートの製造方法。
【請求項２】
基材シート（１）の上方に任意の図柄を施し有孔質ないしは図柄以外は透光性の図柄シート（２）を空間スペース（１０）を介して配置し、
前記図柄シート（２）の斜め上方に該図柄シート（２）を照らす光源を配置すると共に、該図柄シート（２）の上方から撮像装置（４）にて図柄シート（２）を撮影し、撮影した写真あるいは撮影データから版下データを作成し、
印刷用のシート（５）に前記版下データにより印刷をして図柄を印刷した完成シート（７）を製造するようにしていることを特徴とするデザインシートの製造方法。
【請求項３】
前記シート（５）は、前記図柄シート（２）の図柄に似た模様のエンボス加工を施していることを特徴とする請求項２に記載のデザインシートの製造方法。
【請求項４】
前記基材シート（１）と図柄シート（２）との間の空間スペース（１０）の寸法は任意に調整可能としていることを特徴とする請求項１または請求項２に記載のデザインシートの製造方法。
【請求項５】
前記光源の位置は任意に調整可能としていることを特徴とする請求項２〜請求項４のいずれかに記載のデザインシートの製造方法。
【請求項６】
前記シート（５）は、フィルム、紙、不織布、金銀紙等のいずれかとしていることを特徴とする請求項１〜請求項５のいずれかに記載のデザインシートの製造方法。
【請求項７】
前記完成シート（７）は１色ないしは多色印刷していることを特徴とする請求項１〜請求項６のいずれかに記載のデザインシートの製造方法。
【発明の詳細な説明】
【技術分野】
【０００１】
本発明は、表面にデザインを施して立体感を表現可能としたデザインシートの製造方法に関するものである。
【背景技術】
【０００２】
現在、不織布やレース生地等の多様なデザインを施した「有孔シート」を、ベースとなる、各種フィルム、紙、不織布、金銀紙等の「基材シート」の表面に直接貼合した、「有孔シート」と「基材シート」の２枚のシートからなる「複層シート」が各方面で使用されている。
こうした「複層シート」は、「基材シート」の表面に全面にわたって凹凸状のデザインを施した「有孔シート」を使用するために、現前とした立体感、実物感を有するものの、比較的安価な「基材シート」の他に高価な「有孔シート」を使用するために、「基材シート」のみを使用する場合と比べてコスト面で不利になってしまう。
【０００３】
すなわち、上記「複層シート」は、基材シートの表面に実際に凹凸状のデザイン（図柄）を施した有孔シートを貼り合わせた構造としているために、実際に手で触った場合には、実物感があり、見た目にも立体感がある上に高級感をかもし出している。しかしながら、この有孔シートは非常に高価であり、価格がネックとなっている。
【０００４】
図１２〜図１５は上記複層シートの製造過程を示すものであり、図１２に示すように、基材シート５１の表面に、デザインを施して略全面にわたって表面を凹凸状とした有孔シート５２を貼合して複層シート５３が製造される。
図１３は上記のようにして製造された複層シート５３の平面図を示しており、デザインは便宜上「Ａ」としているが、実際には例えば、図１４に示すような模様である。この模様の繊維状の部分が他の部分より若干盛り上がっていて、全体としては図１５に示すように全面にわたって凹凸状となっている。
【０００５】
したがって、基材シート５１と有孔シート５２からなる複層シート５３は、実際に手で触った場合には実物感、立体感があり、高級感を醸し出すことができる。しかし、上述したように有孔シート５２が高価であるという問題の他にも問題がある。
すなわち、基材シート５１の表面に有孔シート５２を貼合した複層シート５３では、摩擦に対しては弱く、表面が擦れたりすると、有孔シート５２の表面が繊維状に剥離してきて、商品価値を無くしてしまうことになる。
【０００６】
そこで、最近では、上記のような「有孔シート」を用いずに、「有孔シート」の図柄をスキャン、あるいは写真撮影するなどして、印刷用の版あるいはデータを作成し、それを用いて「基材シート」に「有孔シート」のデザインを印刷する方法が取られている。
この場合の「有孔シートのデザインを印刷した基材シート」は、実際に複数のシートを貼合した上記の「複層シート」のような、表面のモモケ、剥離の心配がなく、摩擦強度もあるので、あらゆる方面での使用が可能となる。また、かなりの高価な「有孔シート」を採用しても、希望するサイズの「有孔シート」をスキャン、あるいは写真撮影時にのみ高価な該「有孔シート」を用意するだけで事足りることから、「有孔シートのデザインを印刷した基材シート」を安価に大量に製造することができる。
【０００７】
なお、既存の上記「有孔シートのデザインを印刷した基材シート」は、「有孔シート」の種類と同様に多岐に渡っており、不織布の柄では、雲竜、亀甲、さざなみ、落水、水玉等が多く用いられている。
また、「有孔シートのデザインを印刷した基材シート」のほとんどが１色印刷で、単調かつ平面的な表現しかできていないために、印刷後の仕上がりに立体感、実物感がなく、上記の「複層シート」よりコスト面ではメリットがあるものの、余り採用に至っていないのが現状である。
【発明の開示】
【発明が解決しようとする課題】
【０００８】
本発明は上述の問題点に鑑みて提供したものであって、少なく以下の目的を持ったデザインシートの製造方法を提供するものである。
（１）安価な方法で紙材等のシートに立体感、実物感、高級感を出すことができるデザインシートの製造方法を提供すること。
（２）複数のシートを用いずに、１枚のシートにて立体感、実物感、高級感を醸し出したデザインシートを安価に提供できること。
（３）有孔シートと基材シートを直接貼合した複層シートより、更に存在感のある「有孔シートのデザインを印刷した基材シート」であるシートを、多色印刷で製作でき、一層の高級感を出したシートを提供すること。
【課題を解決するための手段】
【０００９】
そこで、本発明の請求項１に記載のデザインシートの製造方法では、基材シート１の表面に任意の図柄を施し有孔質ないしは図柄以外は透光性の図柄シート２を載置し、
該図柄シート２の上方から撮像装置４にて図柄シート２を撮影し、撮影した写真あるいは撮影データから版下データを作成し、
印刷用のシート５に予め前記図柄シート２の図柄に似た模様のエンボス加工を施し、
前記エンボス加工を施したシート５に前記版下データにより印刷をして図柄を印刷した完成シート７を製造するようにしていることを特徴としている。
【００１０】
請求項２に記載のデザインシートの製造方法では、基材シート１の上方に任意の図柄を施し有孔質ないしは図柄以外は透光性の図柄シート２を空間スペース１０を介して配置し、
前記図柄シート２の斜め上方に該図柄シート２を照らす光源を配置すると共に、該図柄シート２の上方から撮像装置４にて図柄シート２を撮影し、撮影した写真あるいは撮影データから版下データを作成し、
印刷用のシート５に前記版下データにより印刷をして図柄を印刷した完成シート７を製造するようにしていることを特徴としている。
【００１１】
請求項３に記載のデザインシートの製造方法では、前記シート５は、前記図柄シート２の図柄に似た模様のエンボス加工を施していることを特徴としている。
【００１２】
請求項４に記載のデザインシートの製造方法では、前記基材シート１と図柄シート２との間の空間スペース１０の寸法は任意に調整可能としていることを特徴としている。
【００１３】
請求項５に記載のデザインシートの製造方法では、前記光源の位置は任意に調整可能としていることを特徴としている。
【００１４】
請求項６に記載のデザインシートの製造方法では、前記シート５は、フィルム、紙、不織布、金銀紙等のいずれかとしていることを特徴としている。
【００１５】
請求項７に記載のデザインシートの製造方法では、前記完成シート７は１色ないしは多色印刷していることを特徴としている。
【発明の効果】
【００１６】
本発明の請求項１に記載のデザインシートの製造方法によれば、基材シート１の表面に任意の図柄を施し有孔質ないしは図柄以外は透光性の図柄シート２を載置し、該図柄シート２の上方から撮像装置４にて図柄シート２を撮影し、撮影した写真あるいは撮影データから版下データを作成し、印刷用のシート５に予め前記図柄シート２の図柄に似た模様のエンボス加工を施し、前記エンボス加工を施したシート５に前記版下データにより印刷をして図柄を印刷した完成シート７を製造するようにしているので、安価な方法で紙材等のシート５に立体感、実物感、高級感を出すことができ、また、複数のシートを用いずに、１枚のシート５にて立体感、実物感、高級感を醸し出したデザインシートを安価に且つ大量に製作することができる。また、完成シート７には図柄と似たエンボス加工が施されているので、完成シート７を見た場合には、立体感、実物感、高級感を醸し出すことができる。
【００１７】
請求項２に記載のデザインシートの製造方法によれば、基材シート１の上方に任意の図柄を施し有孔質ないしは図柄以外は透光性の図柄シート２を空間スペース１０を介して配置し、前記図柄シート２の斜め上方に該図柄シート２を照らす光源を配置すると共に、該図柄シート２の上方から撮像装置４にて図柄シート２を撮影し、撮影した写真あるいは撮影データから版下データを作成し、印刷用のシート５に前記版下データにより印刷をして図柄を印刷した完成シート７を製造するようにしているので、安価な方法で紙材等のシート５に立体感、実物感、高級感を出すことができ、また、複数のシートを用いずに、１枚のシート５にて立体感、実物感、高級感を醸し出したデザインシートを安価に且つ大量に製作することができる。完成シート７が１枚であるにも関わらず、斜め上方に配置した光源と空間スペース１０の効果により、完成シート７には図柄とこの図柄の影が印刷されているので、立体感、実物感、高級感を醸し出すことができる。しかも、完成シート７は安価なシート５にて印刷するので、完成シート７を安価に且つ大量に製作することができる。
【００１８】
請求項３に記載のデザインシートの製造方法によれば、前記シート５は、前記図柄シート２の図柄に似た模様のエンボス加工を施しているので、完成シート７に該図柄に似た凹凸状の立体感を持たせることができる。かかる場合には、一層立体感、実物感、高級感を出すことができ、しかも、指先等で触った場合には、一層立体感を出すことができる。また、エンボス加工が施された完成シート７は、錯覚により従来の複層シート、つまり、実際に有孔シートを貼合したような感じを与えることになる。このように、１枚の完成シート７にも関わらず、立体感、実物感、高級感を見た人に与えることができ、しかも、完成シート７は安価なシート５にて印刷するので、完成シート７を安価に且つ大量に製作することができる。
【００１９】
請求項４に記載のデザインシートの製造方法によれば、前記基材シート１と図柄シート２との間の空間スペース１０の寸法は任意に調整可能としているので、図柄の投影の奥行き感を任意にあるいは微妙に調整することができ、一層実物感、立体感、高級感を出すことができる。また、該完成シート７の商品価値を非常に高めることができる。
【００２０】
請求項５に記載のデザインシートの製造方法によれば、前記光源の位置は任意に調整可能としているので、図柄の投影の奥行き感を任意にあるいは微妙に調整することができ、一層実物感、立体感、高級感を出すことができる。また、該完成シート７の商品価値を非常に高めることができる。
【００２１】
請求項６に記載のデザインシートの製造方法によれば、前記シート５は、フィルム、紙、不織布、金銀紙等のいずれかとしていることで、多様な完成シート７を提供することができる。
【００２２】
請求項７に記載のデザインシートの製造方法によれば、前記完成シート７は１色ないしは多色印刷していることで、多様で高級感のある完成シート７を提供することができる。
【発明を実施するための最良の形態】
【００２３】
（第１の実施の形態）
以下、本発明の第１の実施の形態を図面を参照して詳細に説明する。図１及び図２に示すように、基材シート１の表面に、従来と同様の有孔シートである図柄シート２を載置して、この基材シート１及び図柄シート２にてデータ作成用シート３を作成する。そして、このデータ作成用シート３の上方から撮像装置４にてデータ作成用シート３を撮像する。
【００２４】
ここで、基材シート１は、従来の場合と同様に、各種のフィルム、紙、不織布、金銀紙等で構成され、任意の色に１色、あるいは複数色に着色した場合や、任意の図柄を施したものが用いられる。
また、図柄シート２は、不織布、レース生地等で任意のデザインが施され、任意の色に１色、あるいは複数色に着色したものが用いられる。図１では、図柄シート２には「Ａ」の文字を図柄としているが、これは説明の便宜上であり、任意の図柄が描かれる。図３はその一例を示しており、繊維状としたものである。
【００２５】
そして、図柄シート２は、多数の小さな孔が穿孔されている、所謂有孔シートや、透光性のものであり、図柄の部分は、非透光性であり、撮像装置４にて図柄シート２を撮像した場合には、図柄が図３に示すようにくっきりと撮影されるようになっている。
また、撮像装置４は、スキャナー、デジタルカメラ、撮像素子（ＣＣＤ）を用いていないカメラを含む概念である。
【００２６】
上記のようにして撮像装置４にて撮像したデータから印刷用の版下データを作成し、この版下データにてシート５（図４参照）の表面に印刷する。この印刷されたシート５には図４に示すようにインク層６が密着されており、このシート５とインク層６とで完成シート７と称する。図３はこの完成シート７の図柄の一例を示している。なお、図４は完成シート７の要部拡大断面図を示している。
本発明では、上記版下データにてシート５に印刷する前に、該シート５には、図柄シート２に良く似たパターンのエンボス加工を施している。図３の例では繊維状の図柄としているので、シート５にも繊維状のエンボス加工を施す。
【００２７】
このシート５に加工するエンボス加工は、図柄シート２の図柄とピッタリと合わせる必要はなく、指先で完成シート７の表面を触った場合に繊維状の凹凸が感じられる程度のエンボス加工で良い。かかる場合には、完成シート７の表面に指先で触れた場合には、図柄の繊維状の凹凸が感じられるものであり、従来の複層シートのような感覚を得ることができる。
そのため、完成シート７を見た場合には、立体感、実物感、高級感を醸し出すことができる。この完成シート７を作成するための印刷用のシート５は、１枚だけで良く、また比較的安価な材料で良いので、完成シート７を非常に低コストに且つ大量に製作することができる。
【００２８】
（第２の実施の形態）
図５及び図６は第２の実施形態を示し、本実施形態では、基材シート１と図柄シート２との間に任意の寸法の空間スペース１０を設けたのをデータ作成用シート３としている。そして、さらに斜め上方に配置した光源にてデータ作成用シート３を斜めから照射し、データ作成用シート３の真上から撮像装置４にて撮像して版下データを作成するようにしたものである。
【００２９】
基材シート１と図柄シート２との間に空間スペース１０を設けていることと、ランプ等の光源をデータ作成用シート３の斜め上方から照射していることとで、図柄シート２に描いた図柄（図示例では「Ａ」の文字）の影が基材シート１の表面に投影されることになる。
そして、データ作成用シート３（図柄シート２）の真上から見た場合には、図柄シート２の図柄の影が見えることになり、この状態で撮像装置４にて撮影した場合には、図７に示すような撮像データが得られることになる。
【００３０】
そして、撮像装置４にて撮影したからシート５に印刷するための版下データを作成する。版下データから先の実施形態と同様にシート５に印刷して完成シート７を作成する。本実施形態では、完成シート７が１枚であるにも関わらず、斜め上方に配置した光源と空間スペース１０の効果により、完成シート７には図柄とこの図柄の影が印刷されているので、立体感、実物感、高級感を醸し出すことができる。
しかも、完成シート７は１枚のシートであり、また、安価なシートに印刷できる（している）ので、立体感、実物感、高級感があるにも関わらず、安価な完成シート７を安価に且つ大量に製作することができる。
【００３１】
また、撮像装置４にて図柄を撮影する際に、光源の位置を変えたり、あるいは基材シート１と図柄シート２との空間スペース１０の寸法を調整したり、さらには、光源の位置と空間スペース１０の寸法の調整の両方を適宜行なうことで、図柄の投影の奥行き感を任意にあるいは微妙に調整することができ、一層実物感、立体感、高級感を出すことができる。また、該完成シート７の商品価値を非常に高めることができる。
図８は図柄の影の位置を図７の場合よりもさらに後方に位置させた場合を示している。
【００３２】
図９及び図１０は図３の場合とは異なる図柄の場合を示している。また、図１１は基材シート１の他の例を示すものである。先の実施形態では、基材シート１の表面は滑らかとしていたが、図１１では基材シート１にエンボス加工を施したものである。
この図１１に示すエンボス加工を施した基材シート１を第１、第２の実施形態で用いることで、一層立体感、実物感、高級感を持たせた完成シート７を作成することができ、該完成シート７の商品価値を非常に高めることができる。この場合、特に視覚的にも触感の面でもリアリティを持たせることができる。
【００３３】
なお、本実施形態では、基材シート１の上方に空間スペース１０を介して図柄シート２を配置して撮像装置４にて撮影する場合について説明したが、図柄シート２の上方に更に空間スペース１０を介して第２の図柄シートを配置して撮像装置４にて撮影して版下データを作成するようにしても良い。
【００３４】
また、第１の実施形態の場合と同様に、図９及び図１０に示す図柄の場合や他の図柄の場合にでも、シート５への印刷の前に該シート５にエンボス加工を施すことで、完成シート７に該図柄に似た凹凸状の立体感を持たせることができる。かかる場合には、一層立体感、実物感、高級感を出すことができ、しかも、指先等で触った場合には、一層立体感を出すことができる。
また、エンボス加工が施された完成シート７は、錯覚により従来の複層シート、つまり、実際に有孔シートを貼合したような感じを与えることになる。このように、１枚の完成シート７にも関わらず、立体感、実物感、高級感を見た人に与えることができ、しかも、完成シート７は安価なシート５にて印刷するので、完成シート７を安価に且つ大量に製作することができる。
【００３５】
特に、基材シート１や図柄シート２が、たとえ非常に高価な材料を用いたとしても、これらは撮像装置４による撮影用であり、単品であるので、コストに反映するものではない。
【００３６】
また、基材シート１や図柄シート２は任意の色を１色はもちろん多色のものを用いても完成シート７を作成することができるのはもちろんである。
【００３７】
具体的には、以下の基材シート１と図柄シート２を用いたが、他のシートを用いても良いのはもちろんである。
基材シート１：紀州製紙株式会社／色上質紙  特厚口  肌色
有孔柄シート（図柄シート２）：三和製紙株式会社／さざなみ柄
：三和製紙株式会社／亀甲柄
：パピルス株式会社／落水柄
【００３８】
シート５を印刷する場合、オフセット用印刷、グラビア印刷用、フレキソ印刷用等、それぞれ印刷方式によって製版し、７〜８色で印刷することが可能である。製版せずに、パソコンからインクジェットプリンターにてプリントアウトすることも可能である。このように完成シート７を多色印刷することで、多様で高級感のある完成シート７を提供することができる。
また、完成シート７として使用する印刷基材であるシート５は、フィルム、紙不織布、金銀紙等、多岐に渡って可能である。これにより、多様な完成シート７を提供することができる。
【００３９】
なお、第１、第２の実施形態において、１色の印刷にて完成シート７を製作するようにしても良い。
【図面の簡単な説明】
【００４０】
【図１】本発明の第１の実施の形態における完成シートを作成する場合の過程を示す図である。
【図２】本発明の第１の実施の形態における完成シートを作成する場合の過程を示す図である。
【図３】本発明の第１の実施の形態における図柄の一例を示す図である。
【図４】本発明の第１の実施の形態における完成シートの要部拡大断面図である。
【図５】本発明の第２の実施の形態における完成シートを作成する場合の過程を示す図である。
【図６】本発明の第２の実施の形態における完成シートを作成する場合の過程を示す図である。
【図７】本発明の第２の実施の形態における完成シートを作成する場合の過程を示す図である。
【図８】本発明の第２の実施の形態における更に奥行き感を持たせた場合の完成シートの平面図である。
【図９】本発明の第２の実施の形態における図柄の一例を示す図である。
【図１０】本発明の第２の実施の形態における図柄の一例を示す図である。
【図１１】本発明の第２の実施の形態における基材シートの他の例を示す図である。
【図１２】従来例の複層シートを作成する場合の過程を示す図である。
【図１３】従来例の複層シートを作成する場合の過程を示す図である。
【図１４】従来例の図柄の一例を示す図である。
【図１５】従来例の複層シートの要部拡大断面図である。
【符号の説明】
【００４１】
１  基材シート
２  図柄シート
４  撮像装置
５  シート
７  完成シート
１０  空間スペース
【図１】
2009000985.tif 000003
【図２】
2009000985.tif 000004
【図３】
2009000985.tif 000005
【図４】
2009000985.tif 000006
【図５】
2009000985.tif 000007
【図６】
2009000985.tif 000008
【図７】
2009000985.tif 000009
【図８】
2009000985.tif 000010
【図９】
2009000985.tif 000011
【図１０】
2009000985.tif 000012
【図１１】
2009000985.tif 000013
【図１２】
2009000985.tif 000014
【図１３】
2009000985.tif 000015
【図１４】
2009000985.tif 000016
【図１５】
2009000985.tif 000017